(57)【要約】【課題】  伝送損失を低減し、帯域が狭くなるのを防止し、かつ小型、低コストでドハティ増幅器を並列運転する回路を提供する。【解決手段】  複数のドハティ増幅器１１、１２の各々は、入力信号を分配され、それぞれに増幅して出力する。信号合成器１４は、伝送線路トランスからなり、ドハティ増幅器１１、１２の出力および出力端子１６に接続されており、ドハティ増幅器１１、１２からみたインピーダンスがドハティ増幅器１１、１２の最適な負荷で、出力端子１６からみたインピーダンスが、出力端子１６に接続される伝送線路の特性インピーダンスである。そして、信号合成器１４は、ドハティ増幅器１１、１２の出力を合成して出力端子１６から出力する。【選択図】      図１
2006067176.tif 000002
【特許請求の範囲】
【請求項１】
入力信号を増幅して出力端子に出力するドハティ増幅器並列運転回路であって、
前記入力信号を分配され、それぞれに増幅して出力する複数のドハティ増幅器と、
伝送線路トランスからなり、前記ドハティ増幅器の出力および前記出力端子に接続されており、前記ドハティ増幅器からみたインピーダンスが該ドハティ増幅器の最適な負荷であり、前記出力端子からみたインピーダンスが、前記出力端子に接続される伝送線路の特性インピーダンスと一致し、前記ドハティ増幅器の出力を合成して前記出力端子から出力する信号合成器とを有するドハティ増幅器並列運転回路。
【請求項２】
前記ドハティ増幅器が２つで、前記伝送線路トランスが１つであり、該伝送線路トランスの特性インピーダンスが前記伝送線路の特性インピーダンスと一致し、
２つの前記ドハティ増幅器の出力が前記伝送線路トランスの入力側の２つの端子の各々に接続されている、請求項１記載のドハティ増幅器並列運転回路。
【請求項３】
２つの前記ドハティ増幅器が互いに逆相で駆動される、請求項２記載のドハティ増幅器並列運転回路。
【請求項４】
前記ドハティ増幅器の数が正の偶数ｋの２乗で、前記伝送線路トランスの数ｎが前記正の偶数ｋの２乗の１／２であり、前記各伝送線路トランスの特性インピーダンスが前記伝送線路の特性インピーダンスの１／√ｎであり、
２つずつの前記ドハティ増幅器が対をなし、それらの出力が１つの前記伝送線路トランスの入力側の２つの端子の各々に接続され、
全ての前記伝送線路トランスの出力側の端子が直列に接続されている、請求項１記載のドハティ増幅器並列運転回路。
【請求項５】
対をなす前記ドハティ増幅器が互いに逆相で駆動され、全ての対の一方の前記ドハティ増幅器が互いに同相で駆動される、請求項４記載のドハティ増幅器並列運転回路。
【請求項６】
前記伝送線路トランスが前記入力信号の１／４波長の同軸線路である、請求項１〜５のいずれか１項に記載のドハティ増幅器並列運転回路。
【請求項７】
前記ドハティ増幅器の最適な負荷が、前記伝送線路の特性インピーダンスの１／２である、請求項１〜６のいずれか１項に記載のドハティ増幅器並列運転回路。
【請求項８】
前記伝送線路トランスの数ｎ＝２であり、前記伝送線路の特性インピーダンスは５０オームであり、前記伝送線路トランスは、７５オームの２つの同軸線路を並列接続した構成である、請求項４または５に記載のドハティ増幅器並列運転回路。
【発明の詳細な説明】
【技術分野】
【０００１】
本発明は、互いに動作クラスの異なるキャリア増幅器とピーク増幅器の出力を合成して出力するドハティ増幅器に関する。
【背景技術】
【０００２】
無線通信システムに利用される電力増幅器には線形性と高効率が要求されている。
【０００３】
また、近年の多値デジタル変調を用いた通信システムでは、信号振幅の平均値と最大値が大きく異なるような信号を取り扱うことが多い。このような信号を増幅する場合、従来の増幅器では、最大振幅まで歪無く信号を増幅可能とするように増幅器の動作点を設定する必要がある。そのため、増幅器が比較的高効率を維持できる飽和出力付近で動作する時間はほとんどなく、効率が低い状態で用いられることとなる。
【０００４】
この問題を解決するために、線形性を維持しながら増幅器の効率を高める様々な技術が提案されており、その１つにドハティ増幅器がある。ドハティ増幅器とは、高出力電力増幅器の効率を改善することを目的とし、動作クラスの異なるキャリア増幅器とピーク増幅器の出力を合成して出力する増幅器である。ドハティ増幅器の基本的な動作や構成は、非特許文献１にて発表され、よく知られている。
【０００５】
ドハティ増幅器では、キャリア増幅器が飽和出力電力近傍で飽和を維持しながら動作するので、全体として、飽和電力からバックオフをとった出力時においても通常のＡ級、ＡＢ級増幅器より高い効率が実現される。バックオフとは、平均出力電力と飽和電力の差である。そして、バックオフが大きい状態とは、平均出力電力が飽和電力に比べて小さい状態のことをいう。
【０００６】
ドハティ増幅器の一般的な動作原理等は、例えば非特許文献２でもよく知られているので、ここでは本発明に関連のある部分について説明する。
【０００７】
キャリア増幅器とピーク増幅器の出力を結合する合成回路は、トランスやインピーダンス変換器で構成されており、マイクロ波帯等の信号を扱う場合には１／４波長の伝送線路から構成されていることが多い。ドハティ増幅器の動作を理想的なものとするため、出力の合成点からみた負荷のインピーダンスは、伝送線路の特性インピーダンスをＺ0とすると、通常はＺ0／２になるように設定される。通常、高周波回路ではＺ0は５０Ωとされる。
【０００８】
そして、負荷のインピーダンスＺ0／２を特性インピーダンスＺ0に変換してインピーダンス整合をとる回路として、高周波帯では、合成点と出力の間に１／４波長の伝送線路が用いられる。その一例として、非特許文献３には、この合成回路の部分をマイクロ波帯で実現した技術が発表されている。
【０００９】
また、増幅器には高電力化の要求も高まっており、それを実現する１つの方法として、複数の増幅器を並列運転することにより高出力を得る方法が従来から用いられている。複数の増幅器を並列運転する方法として、ウイルキンソン分配合成器を用いた同相分配合成型、プッシュプル型、およびハイブリッドを用いたバランス型などがよく知られている。例えば、非特許文献４を参照すると、複数の増幅器を並列運転する一般的な方法として、ハイブリッドを用いたバランス型、ウイルキンソン分配合成器を用いた方法などが記載されている。
【００１０】
以上のことから、線形性および高効率性の要求を満たし、かつ高出力化を達成するために、高効率を実現できるドハティ増幅器を、高出力を得るために並列運転するのが有効であると考えられる。
【００１１】
上述したように、一般にドハティ増幅器からみた負荷の理想的なインピーダンスは、系の特性インピーダンスＺ0と異なり、その半分のＺ0／２である。そのため、複数のドハティ増幅器をプッシュプル型あるいはバランス型として並列運転するには、複数のドハティ増幅器の出力を合成する合成器のインピーダンスＺ0をドハティ増幅器の負荷インピーダンスＺ0／２にインピーダンス変換する回路が出力に必要となる。
【００１２】
ドハティ増幅器の並列運転の一例として、非特許文献５では、２つのドハティ増幅器を、ハイブリッドを用いて結合し、並列運転するバランス型増幅器が提案されている。図５は、従来のドハティ増幅器を並列運転する回路を示す図である。図５を参照すると、各ドハティ増幅器５１、５２の各々の出力には、インピーダンスをＺ0／２からＺ0へ変換する１／４波長インピーダンス変換線路５３、５４が接続されている。そして、その１／４波長インピーダンス変換線路５３、５４の出力には、２つのドハティ増幅器５１、５２の出力を合成するハイブリッド５５が接続されている。これによりバランス型の並列運転による増幅器が構成されている。
【非特許文献１】Ｗ．  Ｈ．  Ｄｏｈｅｒｔｙ著，“Ａ  Ｎｅｗ  Ｈｉｇｈ  Ｅｆｆｉｃｉｅｎｃｙ  Ｐｏｗｅｒ  Ａｍｐｌｉｆｉｅｒ  ｆｏｒ  Ｍｏｄｕｌａｔｅｄ  Ｗａｖｅｓ”，  １９３６  Ｐｒｏｃ．ｏｆ  ＩＲＥ，  Ｖｏｌ．２４，  Ｎｏ．９  ，ｐｐ１１６３−１１８２
【非特許文献２】Ｓｔｅｖｅ  Ｃ．  Ｃｒｉｐｐｓ著，“Ａｄｖａｎｃｅｄ  Ｔｅｃｈｎｉｑｕｅｓ  ｉｎ  ＲＦ  Ｐｏｗｅｒ  Ａｍｐｌｉｆｉｅｒｓ”，  Ａｒｔｅｃｈ  Ｈｏｕｓｅ  ２００２  ｐｐ３３−５６
【非特許文献３】Ｒ．Ｊ．ＭｃＭｏｒｒｏｗ他著，“ＴＨＥ  ＭＩＣＲＯＷＡＶＥ  ＤＯＨＥＲＴＹ  ＡＭＰＬＩＦＩＥＲ”，  １９９４  ＩＥＥＥ  ＭＴＴ−Ｓ  Ｄｉｇｅｓｔ（ＴＨ３Ｅ−７），ｐｐ１６５３−１６５６
【非特許文献４】Ｇｕｉｌｌｅｒｍｏ  Ｇｏｎｚａｌｅｚ著，“ＭＩＣＲＯＷＡＶＥ  ＴＲＡＮＳＩＳＴＯＲ  ＡＭＰＬＩＦＩＥＲＳ  Ａｎａｌｙｓｉｓ  ａｎｄ  Ｄｅｓｉｇｎ  ｓｅｃｏｎｄ  ｅｄｉｔｉｏｎ”，Ｐｒｅｎｔｉｃｅ−Ｈａｌｌ  １９９７，  ｐｐ３２７−ｐｐ３３３
【非特許文献５】Ｋｙｏｕｎｇ−Ｊｏｏｎ  Ｃｈｏ他著，“ＲＦ  ＨＩＧＨ  ＰＯＷＥＲ  ＤＯＨＥＲＴＹ  ＡＭＰＬＩＦＩＥＲ  ＦＯＲ  ＩＭＰＲＯＶＩＮＧ  ＴＨＥ  ＥＦＦＩＣＩＥＮＣＹ  ＯＦ  Ａ  ＦＥＥＤＦＯＲＷＡＲＤ  ＬＩＮＥＡＲ  ＡＭＰＬＩＦＩＥＲ”，  ２００４  ＩＥＥＥ  ＭＴＴ−Ｓ  Ｄｉｇｅｓｔ（ＷＥ６Ｃ−３），ｐｐ８４７−８５０
【発明の開示】
【発明が解決しようとする課題】
【００１３】
図５に示したような従来の合成回路の構成では、各ドハティ増幅器から出力までの伝送線路長が長くなるため、信号の伝送損失が大きくなり、増幅器効率が低下するという問題があった。
【００１４】
また、インピーダンス変換線路、およびハイブリッドなどの電力合成器は共に１／４波長伝送線路により構成されているため、帯域が制限され、制限された狭い帯域でしか所望の動作をすることができないという問題があった。
【００１５】
また、ハイブリッド合成器を用いた構成でも、あるいはウイルキンソン型合成器を用いた構成でも、合成器部に終端器が必要になる。そのためインピーダンス変換線路も含めて線路部分が大きく、小型化、低コスト化の観点で不利な構成であるという問題があった。
【００１６】
本発明の目的は、伝送損失を低減し、帯域が狭くなるのを防止し、かつ小型、低コストでドハティ増幅器を並列運転する回路を提供することである。
【課題を解決するための手段】
【００１７】
上記目的を達成するために、本発明のドハティ増幅器並列運転回路は、
入力信号を増幅して出力端子に出力するドハティ増幅器並列運転回路であって、
前記入力信号を分配され、それぞれに増幅して出力する複数のドハティ増幅器と、
伝送線路トランスからなり、前記ドハティ増幅器の出力および前記出力端子に接続されており、前記ドハティ増幅器からみたインピーダンスが該ドハティ増幅器の最適な負荷であり、前記出力端子からみたインピーダンスが、前記出力端子に接続される伝送線路の特性インピーダンスと一致し、前記ドハティ増幅器の出力を合成して前記出力端子から出力する信号合成器とを有している。
【００１８】
したがって、本発明によれば、複数のドハティ増幅器の出力を、小型で単純な構成の伝送線路トランスからなり、ドハティ増幅器からみたインピーダンスが最適で、出力側からみたインピーダンスが出力伝送線路の特性インピーダンスと一致する信号合成器で合成することができる。
【発明の効果】
【００１９】
本発明によれば、複数のドハティ増幅器の出力を、小型で単純な構成の伝送線路トランスからなり、ドハティ増幅器からみたインピーダンスが最適で、出力側からみたインピーダンスが出力伝送線路の特性インピーダンスと一致する信号合成器で合成するので、伝送損失および帯域制限が少なく、かつ小型、低コストでドハティ増幅器の理想的な動作条件を満たしながら出力を合成するドハティ増幅器並列運転回路を構成することができる。
【発明を実施するための最良の形態】
【００２０】
本発明の一実施形態について図面を参照して詳細に説明する。
【００２１】
図１は、本発明の一実施形態によるドハティ増幅器並列運転回路の構成を示す図である。図１を参照すると、本実施形態のドハティ増幅器並列運転回路は、２つのドハティ増幅器１１、１２、信号分配器１３、および伝送線路トランス１４を有している。
【００２２】
信号分配器１３は、入力端子１５からの入力信号を２つのドハティ増幅器１１、１２に分配する。
【００２３】
ドハティ増幅器１１は、キャリア増幅器１１１、ピーク増幅器１１２、分岐回路１１３、および合成回路１１４からなる。同様に、ドハティ増幅器１２は、キャリア増幅器１２１、ピーク増幅器１２２、分岐回路１２３、および合成回路１２４からなる。分岐回路１１３、１２３および合成回路１１４、１２４は、一例として１／４波長の伝送線路で構成されている。
【００２４】
２つのドハティ増幅器１１、１２の出力が伝送線路トランス１４で合成され、出力端子１６から、そこに接続された伝送線路（不図示）に出力される。入力側の信号分配器１３は、従来から一般的に用いられている信号分配器である。
【００２５】
伝送線路トランスは、一例として１／４波長同軸線路で構成できる。また他の例として、伝送線路トランスは等価集中定数回路あるいは平行２線線路でも構成できる。本実施形態の伝送線路トランス１４は、特性インピーダンスがＺ0で、１／４波長の長さの同軸線路である。Ｚ0は伝送線路の特性インピーダンスである。
【００２６】
図２は、伝送線路トランスについて説明するための図である。図２（ａ）に示すように、伝送トランスは、端子Ｔ１からみたインピーダンスがＺ0であり、端子Ｔ２、Ｔ３からみたインピーダンスが共にＺ0／２である。すなわち、図２（ｂ）に示すように、端子Ｔ２、Ｔ３のインピーダンスをＺ0／２とすると、端子Ｔ１のインピーダンスはＺ0である。そして、図２（ｃ）に示すように、端子Ｔ１のインピーダンスをＺ0とすると、端子Ｔ２、Ｔ３のインピーダンスはＺ0／２である。なお、インピーダンスがＺ0／２になるための信号の逆相条件は、ドハティ増幅器１１、１２の入力側の信号分配器１３において逆相の信号を分配にすることで容易に実現できる。
【００２７】
そのため、図１のように、並列運転するドハティ増幅器１１、１２の出力を合成する信号合成器として伝送線路トランス１４を用いた場合、各ドハティ増幅器１１、１２から負荷側をみたインピーダンスはＺ0／２である。これはドハティ増幅器の理想的あるいは最適な負荷状態である。一方、伝送線路トランス１４の出力側から図１の回路をみたインピーダンスはＺ0であり、系のインピーダンスと整合がとれている。
【００２８】
以上説明したように、各ドハティ増幅器１１、１２から出力までの伝送線路長が短いので伝送損失が小さくなり、増幅効率が向上する。例えば、本実施形態の構成によれば、図５に示したようなインピーダンス変換器と合成用のハイブリッドを別個に有する従来構成で発生していた伝送損失を半分程度に低減できる。
【００２９】
また、本実施形態では、出力側で帯域を制限する要因となる回路が削減されているので、従来と比べて広帯域化が可能となる。例えば、図５に示した従来構成では、インピーダンス変換器とハイブリッドの２つの回路で構成されていた部分が、本実施形態では、１つの伝送線路トランス１４となっているので、帯域を制限する要因となる回路が半分となっている。
【００３０】
また、本実施形態では、ドハティ増幅器１１、１２の出力側が伝送線路トランス１４のみの単純な構成となっているので、回路が簡素化され小型化が可能となっている。
【００３１】
また、本実施形態では、従来の構成では必要とされていた終端器が不要なので、低コスト化、小型化が可能となっている。
【００３２】
また、本実施形態では、伝送線路トランス１４の特性インピーダンスは系の特性インピーダンスと同じなので、安価な同軸線路で伝送線路トランス１４を構成でき、低コスト化が可能となっている。
【００３３】
したがって、本実施形態によれば、信号分配器１３により入力を逆相の２つに分配してドハティ増幅器１１、１２に入力し、ドハティ増幅器１１、１２の出力を、ドハティ増幅器１１、１２からみたインピーダンスがＺ0／２で、出力側からみたインピーダンスがＺ0の伝送線路トランス１４で合成するので、伝送損失および帯域制限が少なく、かつ小型、低コストの単純な構成で、ドハティ増幅器の理想的な動作条件を満たしながら出力を合成するドハティ増幅器並列運転回路を構成することができる。
【００３４】
本発明の他の実施形態について説明する。ここでは４つのドハティ増幅器を並列運転する回路を示す。
【００３５】
図３は、本発明の他の実施形態によるドハティ増幅器並列運転回路の構成を示す図である。図３を参照すると、本実施形態のドハティ増幅器並列運転回路は、４つのドハティ増幅器３１〜３４および伝送線路トランス３５、３６を有している。４つのドハティ増幅器３１〜３４が並列運転しており、伝送線路トランス３５および伝送線路トランス３６により信号合成器が構成されている。伝送線路トランス３５、３６の特性インピーダンスはＺ0／√２に選んであるものとする。図３では、信号分配器は省略され、図示されていない。
【００３６】
ドハティ増幅器３１の出力が伝送線路トランス３５の中心導体に接続され、ドハティ増幅器３３の出力が伝送線路トランス３５の外部導体に接続されている。同様に、ドハティ増幅器３２の出力が伝送線路トランス３６の中心導体に接続され、ドハティ増幅器３４の出力が伝送線路トランス３６の外部導体に接続されている。
【００３７】
ドハティ増幅器３１とドハティ増幅器３２は同相で駆動され、ドハティ増幅器３３とドハティ増幅器３４が同相で駆動されている。また、ドハティ増幅器３１、３２と、ドハティ増幅器３３、３４とは逆相で駆動されている。
【００３８】
出力側では、伝送線路トランス３６の中心導体が伝送線路トランス３５の外部導体に接続されている。また、伝送線路トランス３５の中心導体と伝送線路トランス３６の外部導体とがドハティ増幅器並列運転回路の出力となっている。
【００３９】
ドハティ増幅器３３がドハティ増幅器３１とは逆相で駆動されるように構成しているので、ドハティ増幅器３１から負荷をみたインピーダンスは、伝送線路のインピーダンスＺ0の１／２となる。同様に、他のドハティ増幅器３２〜３４から負荷を見たインピーダンスも伝送線路のインピーダンスＺ0の１／２である。
【００４０】
また、本実施形態のように伝送線路トランス３５、３６を接続すると、伝送線路トランス３５の入力側から伝送線路トランス３５をみたインピーダンスはＺ0となり、同様に、伝送線路トランス３６の入力側から伝送線路トランス３６をみたインピーダンスはＺ0となる。
【００４１】
以上説明したように、ドハティ増幅器３１〜３４から負荷をみたインピーダンスはＺ0／２であり、これは理想的なドハティ増幅器の負荷状態である。また、出力側から伝送線路トランス３５、３６をみたインピーダンスはそれぞれＺ0／２なので、ドハティ増幅器並列運転回路を出力側からみたインピーダンスはＺ0であり、系のインピーダンスと整合がとれている。
【００４２】
したがって、本実施形態によれば、ドハティ増幅器３１〜３４の出力を、ドハティ増幅器３１〜３４からみたインピーダンスがＺ0／２で、出力側からみたインピーダンスが、Ｚ0の伝送線路３５、３６からなる信号合成器で合成するので、伝送損失および帯域制限が少なく、かつ小型、低コストの単純な構成で、ドハティ増幅器の理想的な動作状態を満たしつつ出力を合成するドハティ増幅器並列運転回路を構成することができる。
【００４３】
なお、本実施形態では伝送線路トランスが同軸線路で構成される例を示したが、等価集中定数回路あるいは平行２線線路で構成してもよい。
【００４４】
本発明のさらに他の実施形態について説明する。ここでは、ｋの２乗個（ｋは正の偶数）のドハティ増幅器を並列運転する回路を示す。
【００４５】
図４は、本発明のさらに他の実施形態によるドハティ増幅器並列運転回路の構成を示す図である。図４を参照すると、本実施形態のドハティ増幅器並列運転回路は、２ｎ個のドハティ増幅器４１1〜４１n、４２1〜４２nおよびｎ個の伝送線路トランス４３1〜４３nを有している。ｎ＝ｋ2／２である。伝送線路トランス４３1〜４３nにより信号合成器が構成されている。伝送線路トランス４３1〜４３nの特性インピーダンスはＺ0／√ｎに選んであるものとする。図４では、信号分配器は省略され、図示されていない。
【００４６】
伝送線路トランス６３1〜６３nの各々の中心導体にはドハティ増幅器６１1〜６１nの各々の出力が接続され、外部導体にはドハティ増幅器６２1〜６２nの各々の出力が接続されている。
【００４７】
ドハティ増幅器６１1〜６１nは全て同相で駆動され、ドハティ増幅器６２1〜６２nは全て同相で駆動されている。そして、ドハティ増幅器６１1〜６１nと、ドハティ増幅器６２1〜６２nとは逆相で駆動されている。
【００４８】
出力側では、伝送線路トランス４３i（ｉ＝２〜ｎ）の中心導体が伝送線路トランス４３（ｉ−１）の外部導体に接続されている。また、伝送線路トランス４３1の中心導体と伝送線路トランス４３nの外部導体とがドハティ増幅器並列運転回路の出力となっている。
【００４９】
ドハティ増幅器４１1〜４１nと４２1〜４２nが逆相で駆動されるように構成されているので、ドハティ増幅器４１1〜４１nから負荷をみたインピーダンスは、伝送線路のインピーダンスＺ0の１／２となる。また、同様に、ドハティ増幅器４２1〜４２nから負荷を見たインピーダンスも伝送線路のインピーダンスＺ0の１／２である。
【００５０】
また、本実施形態のように伝送線路トランス４３1〜４３nを接続すると、伝送線路トランス４３1〜４３nの入力側から伝送線路トランス４３1〜４３nをみたインピーダンスはＺ0となる。
【００５１】
以上説明したように、ドハティ増幅器４３1〜４３nから負荷をみたインピーダンスはＺ0／２であり、これは理想的なドハティ増幅器の負荷状態である。また、出力側から伝送線路トランス４３1〜４３nをみたインピーダンスはそれぞれＺ0／２なので、ドハティ増幅器並列運転回路を出力側からみたインピーダンスはＺ0であり、系のインピーダンスと整合がとれている。
【００５２】
なお、特性インピーダンスＺ0／√ｎの伝送線路トランスには、一例として、予めそのように設計、製作された線路を用いるのが好ましい。また、特性インピーダンスがＺ0／√ｎとなるように設計、製作された線路の代わりに、特性インピーダンスＺ0の伝送線路トランスを並列に接続することで構成された伝送線路トランスを用いてもよい。
【００５３】
ここでは一例として、Ｚ0が５０オームであり、４つのドハティ増幅器を並列運転する場合を考える。その場合、ｎ＝２なので、伝送線路の特性インピーダンスは５０／√２＝３５．３５オームとすればよい。このような特性インピーダンスを有するいわば専用の同軸線路を用いる代わりに、一般的な規格品である安価な７５オームの同軸線路を２本並列に接続して、７５／２＝３５オームの伝送線路トランスを構成してもよい。
【００５４】
また、ここまでの各実施形態では、ドハティ増幅器の負荷インピーダンスがＺ0／２の場合について説明してきたが、本発明はこれに限定されるものではない。他の負荷条件で理想的な動作となるように設計されたドハティ増幅器についても本発明のドハティ増幅器並列運転回路の技術思想は応用可能である。
【００５５】
また、ここまでの各実施形態では、好適例として、対となって同一の伝送線路トランスに接続される２つのドハティ増幅器が互いに逆相で駆動されることとしたが、本発明はこれに限定されるものではない。必ずしも逆相でなくとも、２つのドハティ増幅器の位相関係と、それらドハティ増幅器の出力に接続される伝送線路トランスの構成（同軸線路の場合では線路長やインピーダンスなど）とを調整することによりドハティ増幅器の並列運転が可能となる。
【図面の簡単な説明】
【００５６】
【図１】本発明の一実施形態によるドハティ増幅器並列運転回路の構成を示す図である。
【図２】伝送線路トランスについて説明するための図である。
【図３】本発明の他の実施形態によるドハティ増幅器並列運転回路の構成を示す図である。
【図４】本発明のさらに他の実施形態によるドハティ増幅器並列運転回路の構成を示す図である。
【図５】従来のドハティ増幅器を並列運転する回路を示す図である。
【符号の説明】
【００５７】
１１、１２、３１〜３４、４１1〜４１n、４２1〜４２n    ドハティ増幅器
１１１、１２１    キャリア増幅器
１１２、１２２    ピーク増幅器
１１３、１２３    分岐回路
１１４、１２４    合成回路
１３    信号分配器
１４、３５、３６、４３1〜４３n    伝送線路トランス
１５    入力端子
１６    出力端子
Ｔ１、Ｔ２、Ｔ３    端子
【図１】
2006067176.tif 000003
【図２】
2006067176.tif 000004
【図３】
2006067176.tif 000005
【図４】
2006067176.tif 000006
【図５】
2006067176.tif 000007